(57)【特許請求の範囲】
【請求項１】
透水濾過性のシート材料により形成され、被抽出材料を収容するための袋本体と、
耐水性シート材料により形成され、前記袋本体の支持具を形成する支持部材と、
を有し、
前記袋本体は、前記透水濾過性シートをその中心線に沿って半折して形成された正・背面両部を有し、この正・背両面部は、その上端縁において、互いに連続しており、かつその両側端縁部分及び底端縁部分においてそれぞれ接合封止されており、
前記支持部材は、その中心線に沿って半折されていて、かつ前記袋本体の正・背両面部の外側に重ね合わされた正・背両面部を有し、この支持部材正・背両面部は、その上端縁において互いに連続しており、かつ互いに対称形をなしていて、前記支持部材の連続上端縁は、前記袋本体の連続上端縁上に重ね合わされており、前記袋本体の幅の最大値は、前記支持部材の幅の最大値より大きく、
前記支持部材の正・背両面部の各々は、その幅方向に形成された折り曲げ目により、頭・脚両部に区画され、前記頭・脚両部は、前記折り曲げ目に沿って折り曲げることができ、
前記支持部材の正・背両面部の互いに連続している頭部の左右両端部の各々に、前記上端縁を通り、前記折り曲げ目の左右両端の各々に達する弧状の押し曲げ目が形成されていて、この左右押し曲げ目の外側に左右押し曲げ部が形成されており、
前記支持部材の正・背両面部の互いに連続している頭部の、前記左右押し曲げ目の内側に、前記支持部材の正・背両面部及びその間にはさまれている前記袋本体の正・背両面部にわたり、かつ前記左右押し曲げ目から離間する弧状の切り裂き用ミシン目が形成され、この切り裂き用弧状ミシン目の内側に切り裂き部が形成されており、或は、前記支持部材の正・背両面部の切り裂き部が切り抜かれていて、前記切り裂き用弧状ミシン目が前記袋本体の正・背両面部のみに形成されており、
前記支持部材の正・背両面部と、それに接している前記袋本体の正・背両面部とは、それぞれの脚部の少なくとも１領域において、互いに接合されており、
前記袋本体及び前記支持部材の切り裂き部を、或は前記支持部材の切り裂き部が切り抜かれているときは、前記袋本体のみの切り裂き部を、前記切り裂き用ミシン目に沿って切り裂き、前記支持部材上部の左右押し曲げ部を前記押し曲げ目に沿って内側上方又は下方に押し曲げ、それによって、前記支持部材の正・背両面部の互いに連続している両頭部を、前記連続上端縁の両側に拡開するとともに、前記袋本体の切り裂き部を開口し、かつ前記支持部材の正・背両面部の脚部を、前記横方向折り曲げ目に沿って、前記拡開した頭部から下向きに折り曲げることができ、それによって、前記開口した袋本体を支持する支持部材の脚部を、抽出容器上に載置し、前記袋本体中に被抽出材料を収容することが可能になる、
ことを特徴とする支持具付抽出バッグ。
【請求項２】
前記支持部材正・背両面部の各々の脚部の下端の中央部に、下方に伸び出た中央係合突起部が形成されている、請求の範囲第１項に記載の支持具付抽出バッグ。
【請求項３】
前記支持部材正・背両面部の各々の脚部の下端の左右両端部に、下方に伸び出た左右係合突起部が形成されている、請求の範囲第１項に記載の支持具付抽出バッグ。
【請求項４】
前記支持部材正・背両面部の各々の脚部の下端の中央部に下方に伸び出た中央突起部が形成されており、かつ、前記脚部の左右両端部に、下方に伸び出た左右突起部が形成されていて、前記左右突起部が、前記中央突起部との間に係合凹部が形成されている、請求の範囲第１項に記載の支持具付抽出バッグ。
【請求項５】
前記支持部材正・背両面部の各々の中央突起体の中央部分に、１個以上の凹部が形成されている、請求の範囲第１項又は第４項に記載の支持具付抽出バッグ。
【請求項６】
前記袋本体正・背両面部が、正方形又は矩型の形状を有する、請求の範囲第１項に記載の支持具付抽出バッグ。
【請求項７】
前記袋本体の底端縁が、直線状に形成されていて、この底端縁の幅が、前記袋本体の連続上端縁の幅よりも小さい、請求の範囲第１項に記載の支持具付抽出バッグ。
【請求項８】
前記袋本体の底端縁に、２個の突起が形成されていて、この２個の突起の先端間距離が、前記袋本体の連続上端縁の幅よりも小さい、請求の範囲第１項に記載の支持具付抽出バッグ。
【請求項９】
透水濾過性のシート材料により形成され、被抽出材料を収容している袋本体と、
耐水性シート材料により形成され、前記袋本体の支持具を形成する支持部材と、
を有し、
前記袋本体は、前記透水濾過性シートをその中心線に沿って半折して形成された正・背面両部を有し、この正・背両面部は、その上端縁において、互いに連続しており、かつその両側端縁部分及び底端縁部分においてそれぞれ接合封止されており、
前記支持部材は、その中心線に沿って半折されていて、かつ前記袋本体の正・背両面部の外側に重ね合わされた正・背両面部を有し、この支持部材正・背両面部は、その上端縁において互いに連続しており、かつ互いに対称形をなしていて、前記支持部材の連続上端縁は、前記袋本体の連続上端縁上に重ね合わされており、前記袋本体の幅の最大値は、前記支持部材の幅の最大値より大きく、
前記支持部材の正・背両面部の各々は、その幅方向に形成された折り曲げ目により、頭・脚両部に区画され、前記頭・脚両部は、前記折り曲げ目に沿って折り曲げることができ、
前記支持部材の正・背両面部の互いに連続している頭部の左右両端部の各々に、前記上端縁を通り、前記折り曲げ目の左右両端の各々に達する弧状の押し曲げ目が形成されていて、この左右押し曲げ目の外側に左右押し曲げ部が形成されており、
前記支持部材の正・背両面部の互いに連続している頭部の、前記左右押し曲げ目の内側に、前記支持部材の正・背両面部及びその間にはさまれている前記袋本体の正・背両面部にわたり、かつ前記左右押し曲げ目から離間する弧状の切り裂き用ミシン目が形成され、この切り裂き用弧状ミシン目の内側に切り裂き部が形成されており、或は、前記支持部材の正・背両面部の切り裂き部が切り抜かれていて、前記切り裂き用弧状ミシン目が、前記袋本体の正・背両面部のみに形成されており、
前記支持部材の正・背両面部と、それに接している前記袋本体の正・背両面部とは、それぞれの脚部の少なくとも１領域において、互いに接合されており、
前記被抽出材料を収容している袋本体及び前記支持部材の切り裂き部を或は前記支持部材の切り裂き部が切り抜かれているときは、前記袋本体のみの切り裂き部を、前記切り裂き用ミシン目に沿って切り裂き、前記支持部材上部の左右押し曲げ部を前記押し曲げ目に沿って内側上方又は下方に押し曲げ、それによって、前記支持部材の正・背両面部の互いに連続している両頭部を、前記連続上端縁の両側に拡開するとともに、前記袋本体の切り裂き部を開口し、かつ前記支持部材の正・背両面部の脚部を、前記横方向折り曲げ目に沿って、前記拡開した頭部から下向きに折り曲げることができ、それによって、前記開口した被抽出材料収容袋本体を支持する支持部材の脚部を、抽出容器上に載置することが可能になる、
ことを特徴とする被抽出材料を収容している支持具付抽出バッグ。
【請求項１０】
前記支持部材正・背両面部の各々の脚部の下端の中央部に、下方に伸び出た中央係合突起部が形成されている、請求の範囲第９項に記載の被抽出材料を収容している支持具付抽出バッグ。
【請求項１１】
前記支持部材正・背両面部の各々の脚部の下端の左右両端部に、下方に伸び出た左右係合突起部が形成されている、請求の範囲第９項に記載の被抽出材料を収容している支持具付抽出バッグ。
【請求項１２】
前記支持部材正・背両面部の各々の脚部の下端の中央部に下方に伸び出た中央突起部が形成されており、かつ、前記脚部の左右両端部に、下方に伸び出た左右突起部が形成されていて、前記左右突起部が、前記中央突起部との間に係合凹部が形成されている、請求の範囲第９項に記載の被抽出材料を収容している支持具付抽出バッグ。
【請求項１３】
前記支持部材正・背両面部の各々の中央突起体の中央部分に、１個以上の凹部が形成されている、請求の範囲第１０項又は第１２項に記載の被抽出材料を収容している支持具付抽出バッグ。
【請求項１４】
前記袋本体正・背両面部が、正方形又は矩型の形状を有する、請求の範囲第９項に記載の被抽出材料を収容している支持具付抽出バッグ。
【請求項１５】
前記袋本体の底端縁が直線状に形成されていて、この底端縁の幅が、前記袋本体の連続上端縁の幅よりも小さい、請求の範囲第９項に記載の被抽出材料を収容している支持具付抽出バッグ。
【請求項１６】
前記袋本体の底端縁に、２個の突起が形成されていて、この２個の突起の先端間距離が、前記袋本体の連続上端縁の幅よりも小さい、請求の範囲第９項に記載の被抽出材料を収容している支持具付抽出バッグ。
【請求項１７】
透水濾過性シート部材と、このシート部材上に、その長手方向に、互いに間隔をおいて配置された複数個の支持部材とを有し、
前記支持部材は、その中心線の両側において対称形をなす２半部からなり、かつこの支持部材は、その中心線と、前記シート部材の長手方向中心線とが、合致するように前記シート材料上に配置されており、
前記支持部材の２半部は、前記中心線において互いに連続しており、
この中心線を水平方向におき、かつ前記中心線が各半部の上端縁をなすように各半部を見たとき、
（１）各半部は、その上端縁（中心線）に近い頭部と、前記上端縁に平行に形成された折り曲げ目と、この折り曲げ目を介して前記上部に連続している脚部とを有し、
（２）各半部の前記頭部の左右端部には、前記折り曲げ目の左右端から、内側に向かって伸びる弧状の押し曲げ目が形成され、各半部の弧状押し曲げ目は、前記上端縁において互いに連続しており、
（３）各半部の前記頭部の左右弧状押し曲げ目の内側に、前記支持部材及びシート部材を貫通し、かつ前記押し曲げ目から離間する弧状のミシン目が形成され、各半部の前記ミシン目は、前記上端縁において、互いに連続して切り裂き用弧状ミシン目が形成され、この切り裂き用弧状ミシン目の内側に切り裂き部が形成されており、或は、前記支持部材の切り裂き部が切り抜かれていて前記ミシン目は、シート部材のみに形成されており、かつ、
（４）前記支持部材の各半部と、前記シート部材とは、前記脚部の少なくとも１領域において、互いに接合されている
ことを特徴とする、支持具付抽出バッグ製造用シート複合体。
【請求項１８】
前記支持部材に両半部の各々の脚部の外側端の中央部に、外側に向かって伸び出た中央係合突起部が形成されている、請求の範囲第１７項に記載のシート複合体。
【請求項１９】
前記支持部材の両半部の各々の脚部の外側端の左右両端部に、外側に向かって伸び出た左右係合突起部が形成されている、請求の範囲第１７項に記載のシート複合体。
【請求項２０】
前記支持部材正・背両面部の各々の脚部の下端の中央部に下方に伸び出た中央突起部が形成されており、かつ、前記脚部の左右両端部に、下方に伸び出た左右突起部が形成されていて、前記左右突起部が、前記中央突起部との間に、係合凹部が形成されている、請求の範囲第１７項に記載のシート複合体。
【請求項２１】
前記支持部材正・背両面部の各々の中央突起体の中央部分に、１個以上の凹部が形成されている、請求の範囲第１８項又は第２０項に記載のシート複合体。
【発明の詳細な説明】
技術分野
本発明は、支持具付抽出バッグ、被抽出材料収容支持具付抽出バッグ及びそれらの製造用シート複合体に関するものである。更に詳しく述べるならば、本発明は、抽出バッグ又は被抽出材料を収容している抽出バッグを、抽出容器上に安定して載置し、安全に抽出を行うことができる支持具付抽出バッグ、被抽出材料収容支持具付抽出バッグ及びこれらの支持具付抽出バッグを、容易にかつ効率よく製造することができる支持具付抽出バッグ形成用シート複合体に関するものである。
背景技術
実公昭６０−７６２３号及び特開平８−３３５７２号には、フィルター製袋体と、厚紙製ホルダーとを一体化し、ホルダーを折り曲げて支持具を組み立て、袋体内の被抽出物に抽出を施すことが可能な抽出用具が開示されている。
また、特開平１１−２８５４４３号には、厚質シートの中心線中央部に中心孔を設け、この中央部の中心孔の外側に、この中央部分の上方に押出げを可能にする押罫線を設け、中心孔の両外側部に、中心線と直交し、前記押罫線を介して、下方向に折り曲げ可能な１対の支持片を設け、前記中心孔の全周縁裏側に、濾紙からなる袋体の上縁部を接着して形成したコーヒー等飲料の簡易抽出用具が開示されている。
しかしながら従来の支持具付抽出バッグの製造には、先ず袋体を製造し、これを支持具に添付固着し、この袋体に被抽出材料を充填するという別々の３工程を必要としていた。そこで、上記３工程を単一工程において連続的に実施して製造できる新しい支持具付抽出バッグの出現が強く望まれていた。
発明の開示
本発明は、コーヒーなどの被抽出材料を収容するための抽出バッグ又は被抽出材料を収容している抽出バッグを、抽出容器中又は上に安定して支持することができ、抽出バッグ中の被抽出材料に対する抽出操作を安全に実施することができ、かつ簡単な工程で、容易に、かつ高い効率をもって製造することができる、被抽出材料を収容するための、又は収容している支持具付抽出バッグ及びこれらを製造するためのシート複合体を提供しようとするものである。
本発明の支持具付抽出バッグ（１）は、透水濾過性のシート材料により形成され、被抽出材料を収容するための袋本体と、
耐水性シート材料により形成され、前記袋本体の支持具を形成する支持部材と、
を有し、
前記袋本体は、前記透水濾過性シートをその中心線に沿って半折して形成された正・背面両部を有し、この正・背両面部は、その上端縁において、互いに連続しており、かつその両側端縁部分及び底端縁部分においてそれぞれ接合封止されており、
前記支持部材は、その中心線に沿って半折されていて、かつ前記袋本体の正・背両面部の外側に重ね合わされた正・背両面部を有し、この支持部材正・背両面部は、その上端縁において互いに連続しており、かつ互いに対称形をなしていて、前記支持部材の連続上端縁は、前記袋本体の連続上端縁上に重ね合わされており、前記袋本体の幅の最大値は、前記支持部材の幅の最大値より大きく、
前記支持部材の正・背両面部の各々は、その幅方向に形成された折り曲げ目により、頭・脚両部に区画され、前記頭・脚両部は、前記折り曲げ目に沿って折り曲げることができ、
前記支持部材の正・背両面部の互いに連続している頭部の左右両端部の各々に、前記上端縁を通り、前記折り曲げ目の左右両端の各々に達する弧状の押し曲げ目が形成されていて、この左右押し曲げ目の外側に左右押し曲げ部が形成されており、
前記支持部材の正・背両面部の互いに連続している頭部の、前記左右押し曲げ目の内側に、前記支持部材の正・背両面部及びその間にはさまれている前記袋本体の正・背両面部にわたり、かつ前記左右押し曲げ目から離間する弧状の切り裂き用ミシン目が形成され、この切り裂き用弧状ミシン目の内側に切り裂き部が形成されており、或は、前記支持部材の正・背両面部の切り裂き部が切り抜かれていて、前記切り裂き用弧状ミシン目が前記袋本体の正・背両面部のみに形成されており、
前記支持部材の正・背両面部と、それに接している前記袋本体の正・背両面部とは、それぞれの脚部の少なくとも１領域において、互いに接合されており、
前記袋本体及び前記支持部材の切り裂き部を、或は前記支持体の切り裂き部が切り抜かれているときは、前記袋本体のみの切り裂き部を、前記切り裂き用ミシン目に沿って切り裂き、前記支持部材上部の左右押し曲げ部を前記押し曲げ目に沿って内側上方又は下方に押し曲げ、それによって、前記支持部材の正・背両面部の互いに連続している両頭部を、前記連続上端縁の両側に拡開するとともに、前記袋本体の切り裂き部を開口し、かつ前記支持部材の正・背両面部の脚部を、前記横方向折り曲げ目に沿って、前記拡開した頭部から下向きに折り曲げることができ、それによって、前記開口した袋本体を支持する支持部材の脚部を、抽出容器上に載置し、前記袋本体中に被抽出材料を収容することが可能になる、
ことを特徴とするものである。
本発明の支持具付抽出バッグ（１）において、前記支持部材正・背両面部の各々の脚部の下端の中央部に、下方に伸び出た中央係合突起部が形成されていることが好ましい。
本発明の支持具付抽出バッグ（１）において、前記支持部材正・背両面部の各々の脚部の下端の左右両端部に、下方に伸び出た左右係合突起部が形成されていることも好ましい。
本発明の支持具付抽出バッグ（１）において、前記支持部材正・背両面部の各々の脚部の下端の中央部に下方に伸び出た中央突起部が形成されており、かつ、前記脚部の左右両端部に、下方に伸び出た左右突起部が形成されていて、前記左右突起部が、前記中央突起部との間に係合凹部が形成されていることが好ましい。
本発明の支持具付抽出バッグ（１）において、前記支持部材正・背両面部の各々の中央突起体の中央部分に、１個以上の凹部が形成されていてもよい。
本発明の支持具付抽出バッグ（１）において、前記袋本体正・背両面部が、正方形又は矩型の形状を有していてもよい。
本発明の支持具付抽出バッグ（１）において、前記袋本体の底端縁が、直線状に形成されていて、この底端縁の幅が、前記袋本体の連続上端縁の幅よりも小さくてもよい。
本発明の支持具付抽出バッグ（１）において、前記袋本体の底端縁に、２個の突起が形成されていて、この２個の突起の先端間距離が、前記袋本体の連続上端縁の幅よりも小さくてもよい。
本発明の被抽出材料を収容している支持具付抽出バッグ（２）は、透水濾過性のシート材料により形成され、被抽出材料を収容している袋本体と、
耐水性シート材料により形成され、前記袋本体の支持具を形成する支持部材と、
を有し、
前記袋本体は、前記透水濾過性シートをその中心線に沿って半折して形成された正・背面両部を有し、この正・背両面部は、その上端縁において、互いに連続しており、かつその両側端縁部分及び底端縁部分においてそれぞれ接合封止されており、
前記支持部材は、その中心線に沿って半折されていて、かつ前記袋本体の正・背両面部の外側に重ね合わされた正・背両面部を有し、この支持部材正・背両面部は、その上端縁において互いに連続しており、かつ互いに対称形をなしていて、前記支持部材の連続上端縁は、前記袋本体の連続上端縁上に重ね合わされており、前記袋本体の幅の最大値は、前記支持部材の幅の最大値より大きく、
前記支持部材の正・背両面部の各々は、その幅方向に形成された折り曲げ目により、頭・脚両部に区画され、前記頭・脚両部は、前記折り曲げ目に沿って折り曲げることができ、
前記支持部材の正・背両面部の互いに連続している頭部の左右両端部の各々に、前記上端縁を通り、前記折り曲げ目の左右両端の各々に達する弧状の押し曲げ目が形成されていて、この左右押し曲げ目の外側に左右押し曲げ部が形成されており、
前記支持部材の正・背両面部の互いに連続している頭部の、前記左右押し曲げ目の内側に、前記支持部材の正・背両面部及びその間にはさまれている前記袋本体の正・背両面部にわたり、かつ前記左右押し曲げ目から離間する弧状の切り裂き用ミシン目が形成され、この切り裂き用弧状ミシン目の内側に切り裂き部が形成されており、或は、前記支持部材の正・背両面部の切り裂き部が切り抜かれていて、前記切り裂き用弧状ミシン目が、前記袋本体の正・背両面部のみに形成されており、
前記支持部材の正・背両面部と、それに接している前記袋本体の正・背両面部とは、それぞれの脚部の少なくとも１領域において、互いに接合されており、
前記被抽出材料を収容している袋本体及び前記支持部材の切り裂き部を或は前記支持部材の切り裂き部が切り抜かれているときは、前記袋本体のみの切り裂き部を、前記切り裂き用ミシン目に沿って切り裂き、前記支持部材上部の左右押し曲げ部を前記押し曲げ目に沿って内側上方又は下方に押し込み、それによって、前記支持部材の正・背両面部の互いに連続している両頭部を、前記連続上端縁の両側に拡開するとともに、前記袋本体の切り裂き部を開口し、かつ前記支持部材の正・背両面部の脚部を、前記横方向折り曲げ目に沿って、前記拡開した頭部から下向きに折り曲げることができ、それによって、前記開口した被抽出材料収容袋本体を支持する支持部材の脚部を、抽出容器上に載置することが可能になる、
ことを特徴とするものである。
本発明の被抽出材料を収容している支持具付抽出バッグ（２）において、前記支持部材正・背両面部の各々の脚部の下端の中央部に、下方に伸び出た中央係合突起部が形成されていることが好ましい。
本発明の被抽出材料を収容している支持具付抽出バッグ（２）において、前記支持部材正・背両面部の各々の脚部の下端の左右両端部に、下方に伸び出た左右係合突起部が形成されていることも好ましい。
本発明の被抽出材料を収容している支持具付抽出バッグ（２）において、前記支持部材正・背両面部の各々の脚部の下端の中央部に下方に伸び出た中央突起部が形成されており、かつ、前記脚部の左右両端部に、下方に伸び出た左右突起部が形成されていて、前記左右突起部が、前記中央突起部との間に係合凹部が形成されていることが好ましい。
本発明の被抽出材料を収容している支持具付抽出バッグ（２）において、前記支持部材正・背両面部の各々の中央突起体の中央部分に、１個以上の凹部が形成されていてもよい。
本発明の被抽出材料を収容している支持具付抽出バッグ（２）において、前記袋本体正・背両面部が、正方形又は矩型の形状を有していてもよい。
本発明の被抽出材料を収容している支持具付抽出バッグ（２）において、前記袋本体の底端縁が直線状に形成されていて、この底端縁の幅が、前記袋本体の連続上端縁の幅よりも小さくてもよい。
本発明の被抽出材料を収容している支持具付抽出バッグ（２）において、前記袋本体の底端縁に、２個の突起が形成されていて、この２個の突起の先端間距離が、前記袋本体の連続上端縁の幅よりも小さくてもよい。
本発明の支持具付抽出バッグ製造用シート複合体（３）は、透水濾過性シート部材と、このシート部材上に、その長手方向に、互いに間隔をおいて配置された複数個の支持部材とを有し、
前記支持部材は、その中心線の両側において対称形をなす２半部からなり、かつこの支持部材は、その中心線と、前記シート部材の長手方向中心線とが、合致するように前記シート材料上に配置されており、
前記支持部材の２半部は、前記中心線において互いに連続しており、
この中心線を水平方向におき、かつ前記中心線が各半部の上端縁をなすように各半部を見たとき、
（１）各半部は、その上端縁（中心線）に近い頭部と、前記上端縁に平行に形成された折り曲げ目と、この折り曲げ目を介して前記上部に連続している脚部とを有し、
（２）各半部の前記頭部の左右端部には、前記折り曲げ目の左右端から、内側に向かって伸びる弧状の押し曲げ目が形成され、各半部の弧状押し曲げ目は、前記上端縁において互いに連続しており、
（３）各半部の前記頭部の左右弧状押し曲げ目の内側に、前記支持部材及びシート部材を貫通し、かつ前記押し曲げ目から離間する弧状のミシン目が形成され、各半部の前記ミシン目は、前記上端縁において、互いに連続して切り裂き用弧状ミシン目が形成され、この切り裂き用弧状ミシン目の内側に切り裂き部が形成されており、或は、前記支持部材の切り裂き部が切り抜かれていて前記ミシン目は、シート部材のみに形成されており、かつ、
（４）前記支持部材の各半部と、前記シート部材とは、前記脚部の少なくとも１領域において、互いに接合されている
ことを特徴とするものである。
本発明の支持具付抽出バッグ製造用シート複合体（３）において、前記支持部材に両半部の各々の脚部の外側端の中央部に、外側に向かって伸び出た中央係合突起部が形成されていることが好ましい。
本発明の支持具付抽出バッグ製造用シート複合体（３）において、前記支持部材の両半部の各々の脚部の外側端の左右両端部に、外側に向かって伸び出た左右係合突起部が形成されていることも好ましい。
本発明の支持具付抽出バッグ製造用シート複合体（３）において、前記支持部材正・背両面部の各々の脚部の下端の中央部に下方に伸び出た中央突起部が形成されており、かつ、前記脚部の左右両端部に、下方に伸び出た左右突起部が形成されていて、前記左右突起部が、前記中央突起部との間に、係合凹部が形成されていることが好ましい。
本発明の支持具付抽出バッグ製造用シート複合体（３）において、前記支持部材正・背両面部の各々の中央突起体の中央部分に、１個以上の凹部が形成されていてもよい。
【図面の簡単な説明】
図１は、本発明の支持具付抽出バッグに用いられる支持部材の一例の形状を示す正面説明図であり、
図２は、本発明の支持具付抽出バッグ製造用シート複合体の一例の構成を示す正面説明図であり、
図３は、本発明のシート複合体から本発明の支持具付抽出バッグを製造する方法を示す説明図であり、
図４は、本発明のシート複合体の他の例の形状を示す正面説明図であり、
図５は、本発明のシート複合体の更に他の例の形状を示す正面説明図であり、
図６は、本発明の支持具付抽出バッグの一例の構成を示す正面説明図であり、
図７は、本発明の支持具付抽出バッグの他の例の構成を示す正面説明図であり、
図８は、本発明の支持具付抽出バッグに用いられる支持部材の一例の形状を示す正面説明図であり、
図９は、本発明の支持具付抽出バッグに用いられる支持部材の他の一例の形状を示す正面説明図であり、
図１０は、本発明の支持具付抽出バッグに用いられる支持部材の更に他の一例の形状を示す正面説明図であり、
図１１は、本発明の支持具付抽出バッグに用いられる支持部材の別の一例の形状を示す正面説明図であり、
図１２は、本発明の支持具付抽出バッグの袋本体の一例の形状を示す正面説明図であり、
図１３は、本発明の支持具付抽出バッグの袋本体の他の一例の形状を示す正面説明図であり、
図１４は、本発明の支持具付抽出バッグの袋本体の更に他の一例の形状を示す正面説明図であり、
図１５は、本発明の支持具付抽出バッグの袋本体の別の一例の形状を示す正面説明図であり、
図１６は、本発明の支持具付抽出バッグの使用状況の一例を示す斜視説明図である。
図１７は、本発明の支持具付抽出バッグの使用状況の他の例を示す斜視図である。
発明を実施するための最良の形態
本発明の支持具付抽出バッグの支持具を形成する支持部材の構成を下記に説明する。
図１は支持部材の一例の正面形状を示すものであって、支持部材１は、その中心線２の両側（図１においては上下両側）において、対称形をなす２半部１ａ，１ｂからなり、この２半部１ａ，１ｂは、中心線２において互いに連続している。
中心線２を水平方向におき、この中心線２が、各半部の上端線をなすように、半部１ａ，１ｂのそれぞれを見たとき、
（１）各半部１ａ，１ｂは、その上端縁（すなわち中心線２）に近い頭部３ａ，３ｂと、前記上端縁（中心線）２に平行に形成された折り曲げ目４ａ，４ｂと、この折り曲げ目４ａ，４ｂを介して頭部３ａ，３ｂに連続している脚部５ａ，５ｂとを有している。
（２）各半部１ａ，１ｂの頭部３ａ，３ｂの左右両端部には、折り曲げ目４ａ，４ｂの左右端から内側に向かって弧状に伸びる押し曲げ目６ａ，６ｂが形成されていて、各半部の弧状押し曲げ目６ａ，６ｂは、上端縁（中心線）２上において、互いに連続している。
（３）各半部１ａ，１ｂの頭部３ａ，３ｂの左右弧状押し曲げ目６ａ，６ｂの内側に、押し曲げ目６ａ，６ｂから離間して形成されたミシン目７ａ，７ｂが弧状に形成されていて、このミシン目７ａ，７ｂは、上端縁（中心線）２において、互いに連続して閉鎖形状を形成している。ミシン目７ａ，７ｂの中心線２から遠い部分は、折り曲げ目４ａ，４ｂに重なっていてもよく、或は折り曲げ目４ａ，４ｂの内側に形成されていてもよい。
このような支持部材１は、その中心線２に沿って、その対称形をなす両半部１ａ，１ｂを形成するように折り曲げ、重ね合わせることができる。
各半部１ａ，１ｂの脚部５ａ，５ｂには、その下端の中央部に、外側に向かって伸び出た中央係合突起部８ａ，８ｂが形成されていてもよい。
さらに、支持部材１の両半部１ａ，１ｂの各々の脚部５ａ，５ｂの左右両端部に、外側に向かって伸び出た１対の左右係合突起９ａ，９ｂがさらに形成されていてもよい。中央係合突起８ａ，８ｂと左右係合突起９ａ，９ｂとの間に係合凹部１０ａ，１０ｂが形成されていてもよい。これらの係合突起及び係合凹部の効用は、後に説明する。
本発明の支持具付抽出バッグを製造するためのシート複合体の一例を、図２により説明する。
図２において、シート複合体１１は、透水濾過性シート部材１２と、このシート部材１２上に、その長手方向に、互いに間隔をおいて配置された複数個の支持部材１とを有し、支持部材１は、その中心線２が、シート部材１２の中心線１３に合致するように配置されている。
支持部材１の半部１ａ，１ｂの脚部５ａ，５ｂは、その一部領域１４ａ，１４ｂにおいて、シート部材１２に接着されている。
さらに必要により、シート部材１２と支持部材１とは、支持部材１の半部１ａ，１ｂにおいて、折り曲げ目４ａ，４ｂの外側において、それに近い領域１４ａ，１４ｂにおいて接着されており、必要によりさらにミシン目７ａ，７ｂの内側領域の一部１５ａ，１５ｂにおいて接着されていてもよく、さらに必要により押し曲げ目６ａ，６ｂと、ミシン目７ａ，７ｂとの間の、支持部材１の中心線（上端縁）２の両側にまたがる領域１６において、接着されていてもよく、さらに、前記接着領域１４ａ，１４ｂの外側の小領域１４ｃ，１４ｄにおいて接着されていてもよい。シート部材１２には、支持部材のミシン目７ａ，７ｂに相当する位置にミシン目（図示されていない）が形成されていて引き裂きが可能になっている。
或は、支持部材の引き裂き部は予め切り抜かれていてもよく、この場合にはシート部材のみにミシン目（図示されていない）が形成されている。
上記の構成を有するシート複合体は、その長手方向中心線１３に沿った支持部材１を外側にして半折すると、その両面は、中心線に関して対称をなす形状となる。
本発明のシート複合体から、本発明の支持具付抽出バッグを製造する工程の１例を図３を参照して説明する。
図３においてシート複合体１１を、その長手方向中心線に沿って半折し、かつその重ね合わされた側縁部を、接着機１７により接合しながら、製袋機（図示されていない）に供給する。半折されたシート複合体１１の１個の支持部材１を含む部分１１Ａが製袋機の製袋、被抽出材料充填作業位置に来たとき、このシート複合体部分１１Ａと、その下流に隣り合うシート複合体部分１１Ｂの間の部分（間隔部）において、重ね合わされたシート部材間隔部をベルト状に接着し、このベルト状接着部を切断する。このとき、図３に示されているような接着切断機１８を用いてベルト状接着部のシート部材端縁に近い部分をＹ字状に接着し、これをＹ字状に切断して、その分岐する２辺の間の三角形部分１９を、切断クズとして、除去（例えば吸引除去）してもよい。この接着切断機１８は、シート部材が溶融接着可能な合成繊維を含有している場合、図３に示されているような、超音波ホーン（加熱部材）２０と、それに対向し、Ｙ字形接着・切断面を有するアンビル２１とを有するものであってもよい。
上記シート部材の１２互いに重ね合わされた側端縁部を接着する接着機１７として、図３に示されているような超音波シール機を用いることができる。また、シート部材間隔部の接着・切断操作により、当該シート複合体部分１１Ａの下流に隣り合う部分１１Ｂの上端部も同時に接着、封止され、完成された支持具付抽出バッグとしてシート複合体部分１１Ａから分離する。
上述のようにして、シート材料の下端縁及び側端縁を接着されたシート複合体部分１１Ａの内側に、被抽出材料が充填することができ、この場合には、それによって得られ、被抽出材料を収容し、上端が開口している袋状の部分１１Ａは、その接着充填位置から、下流の位置に移動し、上記と同様にして、その上端開口部を接合封止され、その上流に隣るシート複合体材料から切断分離される。このようにして、被抽出材料を収容した支持具付抽出バッグ（２）が得られる。被抽出材料を充填していない支持具付抽出バッグ（１）の場合には、抽出バッグ（１）を開口後に、これに被抽出材料を充填することができる。
図４に示すように、本発明のシート複合体において、支持部材１と、シート部材１２とは、接合領域１４ｅにおいて互に接着されていてもよい。この接合領域１４ｅは、ミシン目７ａ，７ｂの外側に、支持部材１の頭部３ａ，３ｂと脚部５ａ，５ｂにわたって連続的に形成されている。この接着領域１４ｅは、互いに平行な二重環状線状に形成されていてもよく、また、上記１本以上の環状線上に多数の不連続点状スポットを配列して形成されていてもよい。
また、シート部材１２と支持部材１とは、ミシン目７ａ，７ｂの内側の領域（切り裂き部）において、１個の接合領域により接着されていてもよいが、図４に示されているように、２個以上、例えば、中心線１３の左右に各２個づつ計４個の領域において、接着されていてもよい。
さらに、図４に示されている支持部材１のミシン目７ａ，７ｂの内側の抜き裂き領域は、図５に示されているように予じめ切り抜き除去されていて、空孔部７ｃが形成されていてもよい。
図４において、シート部材１２と、支持部材１とは、下記の寸法関係を存することが好ましい。
シート部材１２の縦中心線１３から、その側線１２ａまでの距離（幅方向）Ｗ1に対するシート部材１２の縦中心線１３から、支持部材１の脚部５ａ（５ｂ）の底部５ｃ（５ｄ）までの距離（幅方向）Ｗ2の比、Ｗ2／Ｗ1は、１：０．８〜１：３．０であることが好ましく、より好ましくは１：１．１〜１：１．５である。Ｗ2／Ｗ1が１：１以上の場合、すなわちＷ2がＷ1の１倍以上のときは、得られる袋本体の底部が、内側に切り込まれ、底が拡がるようになっていることが好ましい。また、支持部材１の横中心線１３ａから、互に隣り合う支持部材の中間の横方向切断線１３ａまでの距離（長手方向）Ｌ1に対する、前記横中心線１３ａから、支持部材１の長手方向の最突出部までの距離（長手方向）Ｌ2の比Ｌ2／Ｌ1は、１：１〜１：２．０であることが好ましい。
上述の方法により製造される本発明の支持具付抽出バッグ（１），（２）について下記に説明する。
図６において、支持具付抽出バッグ２２は、透水濾過性のシート材料により形成され、被抽出材料（図示されていない）を収容している袋本体２３と、耐水性シート材料により形成され、袋本体２３用支持具を形成する支持部材２４とを有する。
袋本体２３は、透水濾過性シートをその中心線に沿って半折して形成された正・背両面部２５ａ，２５ｂを有するものであり、この正・背両面部２５ａ，２５ｂは、その上端縁２６（つまり前記中心線）において、接着することなく互いに連続しており、かつ、正・背両面部２５ａ，２５ｂは、その両側端縁部分２７及び底端縁部２８において、それぞれ接合封止されている。
支持部材２４は、その中心線に沿って半折して形成された支持部材正・背両面部２９ａ，２９ｂを有し、支持部材正・背両面部２９ａ，２９ｂは、袋本体正・背両面部２５ａ，２５ｂの外側に重ね合わされている。支持部材正・背両面部２９ａ，２９ｂは、その上端縁（つまり中心線）３０において互いに連続しており（接着なしで）、かつ互いに対称形をなしている。支持部材の連続上端縁３０は、袋本体の連続上端縁２７上に重ね合わされている。
袋本体２５の幅の最値は、支持部材２４の幅の最大値よりも大きい。このため、本発明の支持具付抽出バッグは、例えば、図３に示された製造方法により、例えば図２に示されているように、予め、シート材料上に複数個の支持部材を、互いに所定の間隔をおいて配置接着して作製されたシート複合体を用いて、容易に、かつ効率よく、一連の工程により製造することが可能になったものである。
支持部材の正・背両面部２９ａ，２９ｂの各々には、その幅方向に形成された折り曲げ目４ａ，４ｂにより、頭部３ａ，３ｂ及び脚部５ａ，５ｂに区画され、この頭・脚両部は、折り曲げ目４ａ，４ｂに沿って折り曲げることができる。
支持部材の正・背両面部２９ａ，２９ｂの、頭部３ａ，３ｂは、その上端縁３０を介して、互いに連続していて、この頭部３ａ，３ｂの各々には、上端縁３０から、折り曲げ目４ａ，４ｂの左右両端に達する弧状の押し曲げ目６ａ，６ｂが形成されていて、この左右押し曲げ目６ａ，６ｂの外側に、左右押し曲げ部３１ａ，３２ｂが形成されている。
支持部材２４の正・背両面部の、上端縁３０をはさんで互いに連続している頭部３ａ，３ｂにおいて、左右押し曲げ目６ａ，６ｂの内側に、切り裂き用ミシン目７ａ，７ｂが形成され、この切り裂き用ミシン目７ａ，７ｂは、支持体の正・背両面及びその間にはさまれている袋本体の正・背両面部の両方に形成されている。また、この弧状ミシン目は、左右押し曲げ目の内側に、それから離間して形成されていて、この支持部材及び袋本体の弧状ミシン目７ａ，７ｂは、それぞれの上端縁２７又は３０において連続していて、その内側に切り裂き部を形成する。
支持部材の正・背両面部２９ａ，２９ｂと、それに接している袋本体の正・背両面部２５ａ，２５ｂとは、支持部材の正・背両面部２９ａ，２９ｂの、脚部５ａ，５ｂの一領域３３ａ，３３ｂにおいて、必要によりさらに領域３３ａ，３３ｂの下方に設けられた一領域３３ｃ，３３ｄにおいて、互いに接合されている。
袋本体の正・背両面部２５ａ，２５ｂと、支持部材の正・背両面部２９ａ，２９ｂとの接着は、必要により、切り裂き部３２ａ，３２ｂの一領域３４ａ，３４ｂにおいて、さらになされてもよく、さらに必要により切り裂きミシン目７ａ（７ｂ）と、押し曲げ目６ａ（６ｂ）との間において、支持体上端縁３０の両側にまたがる領域３５ａ，３５ｂにおいて接合されていてもよい。
支持部材１の正・背両面部２９ａ，２９ｂの脚部５ａ，５ｂの下端中央部に、下方に伸び出た中央係合突起部８ａ，８ｂが形成されていることが好ましい。さらに、脚部５ａ，５ｂの下端の左右両端部に、下方に伸び出た左右係合突起部９ａ，９ｂが形成されていることが好ましい。この場合、中央係合突起部８ａ，８ｂと、左右係合突起部９ａ，９ｂの間に、係合凹部１０ａ，１０ｂが形成されていてもよい。或は、中央係合突起部８ａ，８ｂと、左右係合突起部９ａ，９ｂとは、単に切り込み線によって区画されていてもよい。
図７に示された支持具付抽出バッグ２２において、支持部材２４と、袋本体２３とは、ミシン目７ａ（７ｂ）の外側に設けられた連続した接合領域３３ｅ（３３ｆ）において接着されている。この接合領域３３ｃ（３３ｄ）は、支持部材２４の頭部３ａ（３ｂ）と、脚部５ａ（５ｂ）にわたって連続しているものである。この接合領域３３ｃ（３３ｄ）は、１本の環状線上沿って形成されていてもよく、互に平行な２本の環状線上に沿って形成されていてもよく、この接合領域は、多数の不連続な接合スポットを、上記１本の、又は２本以上の環状線に沿って配置したものであってもよい。
図７に示されているように、支持部材１の脚部５ａ（５ｂ）と、袋本体１２の正・背両面部とは、２個以上（例えば３〜４個）の接合領域３３ｃ（３３ｄ）において接着されていてもよい。
支持体脚部の形状は、図６及び７に示されたものに限定されるわけではなく、他の形状、例えば、図８、図９、図１０、又は図１１に示されている形状を有していてもよい。
図８において、支持体正・背両面部の脚部５ａ，５ｂの下端部には、中央係合突起部８ａ，８ｂのみが形成されている。その形状・寸法に制限はない。支持体の抽出容器上に載置するときに、中央係合突起部の左右の下端部底部８ｃ，８ｄを、抽出容器の上縁端上に置き、中央係合突起部８ａ，８ｂを抽出容器上縁端の内側に挿入するようにすれば、１対の中央係合突起部８ａ，８ｂはその弾性により外側に向って、反撥し、支持具を、抽出容器上に安定に載置することが可能になり、また、支持体が、抽出容器の上縁端上を滑動することを防止できる。
図９において、支持体正・背両面部の脚部５ａ，５ｂの下端部の左右端部に、左右係合突起部９ａ，９ｂが伸び出ている。その形状に格別の制限はない。支持体を抽出容器の上縁端上に載置するときに、支持体正・背両面部の脚部５ａ，５ｂの中央底部５ｃ，５ｄを、前記上縁端上に載置し、左右係合突起部９ａ，９ｂを、前記上縁端の外側又は内側に伸び出るようにする。いずれの場合も、左右係合突起部の反撥力により、支持体を、抽出容器上に安定に保持することができ、また、支持体が抽出容器の上縁端上を滑動することを防止することができる。
図９において、必要により、支持部材正・背両面部の脚部５ａ（５ｂ）の中心部分に、切り抜き部５ｅ（５ｆ）を形成して、抽出操作の際に、被抽出材料を収容している袋本体の状態を観察可能にしてもよい。
図１０においては、中央係合突起部８ａ，８ｂの幅が、図４の場合よりも短かく、このため、その左右に延び出ている左右係合突起部９ａ，９ｂとの間に形成されている係合係合凹部１０ａ，１０ｂの幅が大きくなる。このようにすれば、得られる支持具付抽出バッグは、口径の小さな抽出容器にも容易に適用することが可能になる。
図１１において、支持体正・背両面部脚部の下端に形成された中央係合突起部８ａ，８ｂの中央部に中央凹部８ｅ，８ｆが形成されていて、このため、中央係合突起部は、中央凹部８ｅ，８ｆにより、左右２個の下垂部８ｇ，８ｈに分割されている。このようにすることによって、支持体と、複合の形状の抽出容器との適合性を向上させることができる。
図１２〜図１５は、それぞれ本発明の支持具付抽出バッグに用いられる袋本体２３の一例を示す正面図である。図１２〜図１５において、袋本体２３の正・背両面部は上端縁２６において（接着なしに）連続しており、その両側縁部２７及び底縁部２８において接着封止されている。
図１２において、袋本体２３の正・背両面部２５ａ，２５ｂは、正方形（又は矩形）に形成されている。その形状が矩形の場合、その長さと幅との比に格別の制限はないが、一般に長さ：幅＝１：０．５〜１：２．０程度であることが好ましい。
図１３において袋本体２３の底縁部は、Ｗ字状に形成され、下方に突出した２個の突出部３６を有していて、抽出時の液切れを向上させるように工夫されている。突出部３６の内角Ａには格別の制限はないが一般に８５〜１２５度程度であることが好ましい。
図１４においては、袋本体２３の両側縁部２７の下半部は、内側に曲がっていて、底縁部２８は平坦に形成されている。このような袋本体形状も、抽出の際の液切れを向上させるために有効である。このときの底縁部２８の両端の内角Ｂには格別の制限はないが一般に９５〜１２５度程度であることが好ましい。
図１５において、袋本体２３の底部は、２個の突起体３６がＷ字状に形成されているが、この突起体３６の下端は、袋本体の上端縁２６にほゞ平行な直線状の底縁部２８に形成されている。各底縁部２８の両端の内角には、格別の制限はないが、一般に９５〜１２５度程度であることが好ましい。
本発明の支持具付抽出バッグを用いて、抽出を行う場合の操作及び状況について、図を参照して説明する。
図１６において、抽出容器（カップ）３７の上端縁部３８上に、支持具付抽出バッグ２２が載置されている。この載置に当り、支持具付抽出バッグの袋本体及び支持部材の切り裂き部を、切り裂きミシン目に沿って切り裂く。この操作は、通常、袋本体及び支持部材の両方に対して施されるが、別々に行ってもよい。この同時切り裂きを行う場合、図６に示されているように前記切り裂き部接合領域３４ａ，３４ｂ及び／又は前記切り裂きミシン目／押し曲げ目中間接合領域３５ａ，３５ｂにおいて、支持部材と袋本体とが接合されていると、同時切り裂きをスムースに行うために有効である。但し、支持部材の切り裂き部は予じめ切り抜かれ空孔になっていてもよい。この場合には袋本体頭部の切り裂き部のみが容易に切り裂かれる。
次に、支持部材の左右押し曲げ部３１ａ，３１ｂを指により押し曲げ目６ａ，６ｂに沿って上方に、又は下方に押し曲げると、図１６（下方に押し曲げられている）に示されているように支持部材の正・背両面部の頭部３ａ，３ｂは、上端縁３０の両側に拡開し、それに伴って、頭部３ａ，３ｂの切り裂き部３２ａ，３２ｂ、及び袋本体の切り裂き部が開口し、開口部３９が形成される。このとき、図６に示されているように袋本体は、支持部材の正・背両面部の脚部５ａ，５ｂの脚部接合領域３３ａ，３３ｂにおいて互いに接合され、必要によりさらにその下方に設けられた領域３３ｃ，３３ｄにより接着されているから、上記頭部の拡開に伴って、支持部材脚部５ａ，５ｂは、袋本体に引張られて、折り曲げ目４ａ，４ｂに沿って下向きに折れ曲がり、互いに対向する１対の支持脚を形成する。この脚部からなる１対の支持脚を、抽出容器（カップ）の上端縁上に載置する。脚部の中央係合突起部８ａ，８ｂを、容器（カップ）の内側に差し入れ、左右両係合突起部を、９ａ，９ｂ容器の外側に位置するようにして、係合凹部１０ａ，１０ｂに容器上端縁部３８が差し込まれるようにすれば、支持部材は、抽出容器上端縁部に係合して安定保持される。
このとき、袋本体は、脚部接合領域において支持部材に接合しており、必要により切り裂きミシン目／押し曲げ目中間接合領域３５ａ，３５ｂにおいて、支持部材にさらに接合されているから、開口した袋本体はそれに収容されている被抽出材料とともに、開口拡開した支持部材に安定して懸垂保持される。
支持部材の左右押し曲げ部３１ａ，３１ｂを押し曲げ６ａ，６ｂに沿って上方に押し曲げてもよい。押し上げられた押し曲げ部３１ａ，３１ｂは、支持部材の正背面部３ａ，３ｂ及びそれに接着されている袋本体の頭部は、上端縁３０の両側に拡開して開口部３９が形成される。
このように容器上に載置された支持具付抽出バッグが予じめ被抽出材料が収容している場合には、そのまゝの開口部から、所定の抽出液、例えば熱湯を注下することにより、袋本体内の被抽出材料に抽出を施せば、形成された抽出液は、袋本体により濾過されて、容器内に流下する。また、支持具付抽出バッグに被抽出材料が収容されていないときは、前記開口部から抽出バッグ中に所望の被抽出材料を所望量だけ充填し、これに上記と同様の抽出操作を施す。
支持部材と袋本体を切り裂きミシン目に沿って切り裂くときに、支持部材の切り裂き部を完全に除去することなくミシン目の一部、例えば左右いずれかの端部を切り残して開口部の外に折り曲げておき、袋本体の切り裂き部を完全に除去し、抽出液（熱湯）を注下後、支持部材の切り裂き部を、蓋として用いて開口部を被覆し、抽出液（熱湯）により加熱された被抽出物に対して温度保持及びむろしを施してもよい。
本発明において袋本体を形成する透水濾過性シート材料は、濾紙、濾布及び濾過用不織布（例えばポリオレフィン系極微細繊維、例えばポリエチレン極微細繊維及びポリプロピレン極微細繊維、ポリエステル極微細繊維、並びに、これらと通常濾過用に用いられている親水性繊維との混合繊維から製造された透水濾過用不織布）などから選択することができる。
また、本発明において、支持部材を形成する耐水性シートは、抽出の際に、抽出液に接触しても、軟化したり変形することがなく、手指により切り裂き可能なシート材料から選択され、このようなシート材料としては、厚さ３０〜３００μｍの防水塗工紙、プラスチックシート又は多孔質ポリオレフィン樹脂シートなどを用いることができる。
さらに、袋本体と支持部材との接着には、袋本体及び支持部材の少なくともいずれか一方を融着することが好ましいが、接着剤を用いてもよい。接着剤の種類には格別の制限はないが一般的耐水性接着剤を用いることが好ましく、特に無害耐水性接着剤を用いることが好ましい。
さらに、本発明の支持具付抽出バッグに収容される被抽出材料には、抽出可能な限り格別の限定はないが、コーヒー粉末、緑茶、紅茶、各種中国茶、ハーブ茶、及び各種被抽出用健康剤材料などを用いることができる。
産業上の利用可能性
本発明のシート複合体を用いて、被抽出材料を収容している、又は収容していない支持具付抽出バッグを、一工程により容易に、かつ効率高く形成し、被抽出物を充填することができ、得られた本発明の支持具付抽出バッグにより、それに収容されている被抽出材料に対し、又はそれに被抽出材料を充填し、これに、安全かつ安定して抽出処理を施すことができる。
【図１】
0003727270.tif 000002
【図２】
0003727270.tif 000003
【図３】
0003727270.tif 000004
【図４】
0003727270.tif 000005
【図５】
0003727270.tif 000006
【図６】
0003727270.tif 000007
【図７】
0003727270.tif 000008
【図８】
0003727270.tif 000009
【図９】
0003727270.tif 000010
【図１０】
0003727270.tif 000011
【図１１】
0003727270.tif 000012
【図１２】
0003727270.tif 000013
【図１３】
0003727270.tif 000014
【図１４】
0003727270.tif 000015
【図１５】
0003727270.tif 000016
【図１６】
0003727270.tif 000017
【図１７】
0003727270.tif 000018